(57)【要約】平面表示装置は、表示パネル（２）と、この表示パネルを保持したフレーム（１５）と、フレームに固定され表示パネルをフレームに保持した枠状のベゼル（３１）と、を備えている。ベゼルは、表示パネルの表示領域との境界に端辺（３３）を有し、表示領域を露出させて表示パネルの第１主面を覆った表面部（３２）と、フレームの側面の少なくとも一部を覆った側面部（３４）と、フレームの裏面の少なくとも一部に延在する裏面部（４４）と、裏面部に設けられフレームに固定された固定部と、ベゼルにおける固定部から端辺に向かう最短経路（Ｃ）近傍に位置し、表面部と表示パネルとを離間させる方向の応力を緩和する応力緩和部（４１ａ）とを有している。
2004111977.tif 000002
【特許請求の範囲】
【請求項１】
画像が表示される表示領域を有した第１主面、および第１主面と対向した第２主面を備えた平面表示パネルと、
前記平面表示パネルの前記第２主面側に配設され、前記平面表示パネルを保持したフレームと、
前記フレームに固定された枠状のベゼルと、を備え、
前記ベゼルは、
前記平面表示パネルの前記表示領域との境界に端辺を有し、前記表示領域を露出させて前記平面表示パネルの第１主面を覆った表面部と、
前記フレームの側面の少なくとも一部を覆った側面部と、
前記フレームの裏面の少なくとも一部に延在する裏面部と、
前記ベゼルの前記裏面部に設けられ前記フレームに固定された固定部と、
前記ベゼルにおける前記固定部から前記端辺に向かう最短経路近傍に位置し、前記表面部と前記平面表示パネルとを離間させる方向の応力を緩和する応力緩和部と、
を有している平面表示装置。
【請求項２】
前記応力緩和部は前記ベゼルに形成されたスリットを含んでいる請求項１に記載の平面表示装置。
【請求項３】
前記スリットは、前記ベゼルの側面部に形成され、前記端辺と平行に延びている請求項２に記載の平面表示装置。
【請求項４】
前記スリットは、前記最短経路を横切って延びている請求項２又は３に記載の平面表示装置。
【請求項５】
前記ベゼルは、前記表面部の面方向に沿って折曲げ可能に前記側面部に設けられた折曲げ部を有し、
前記裏面部は前記折曲げ部から延出し前記フレームの裏面と対向している請求項１ないし３のいずれか１項に記載の平面表示装置。
【請求項６】
前記側面部は、前記表面部と反対側に位置した側縁を有し、前記裏面部は、前記側面部の前記側縁から延出し前記フレームの裏面に対向している請求項１ないし３のいずれか１項に記載の平面表示装置。
【請求項７】
前記ベセルは、前記側面部に固定された板部材を備え、前記板部材は、前記側面部に固定された両端部と、前記最短経路近傍に位置しているとともに前記両端部間に位置した中央部と、を有した支持部と、
前記支持部から延出しているとともに前記フレームの裏面に対向し前記背面部を構成した延出部と、を備えている請求項１に記載の平面表示装置。
【請求項８】
前記平面表示パネルに電気的に接続され、この平面表示パネルに駆動信号を供給する回路基板を備え、
前記ベゼルの固定部は、導電性を有するねじによりフレームに固定され、
ベゼルは導電性を有し、前記ねじを介して前記回路基板に電気的に接続されている請求項１に記載の平面表示装置。
【請求項９】
前記回路基板は、前記ねじにより前記固定部とともに前記フレームに固定されている請求項８に記載の平面表示装置。
【発明の詳細な説明】
【技術分野】  本発明は、画像が表示される表示領域を一主面側に有する平面表示パネルを備えた平面表示装置に関する。
【背景技術】  近年、液晶表示装置に代表される平面表示装置は、薄型、軽量、低消費電力といった特徴を生かして、テレビ、コンピュータあるいはカーナビゲーション・システム等の各種表示装置として利用されている。
例えば、特開２００１−３３７６２１号公報に開示されているように、液晶表示装置は、一般に、一対の基板間に液晶層を保持してなる光透過型の液晶パネルと、この液晶パネルの一方の主面、例えば、裏面に重ねて配置された矩形板状のバックライトと、を備えている。液晶表示パネルの他方の主面、つまり、表面は画像表示領域を有している。液晶表示パネルおよびバックライトは、ほぼ矩形枠状の樹脂フレーム上に載置され、また、樹脂フレームには、液晶パネルの表面周縁部および側面、並びに樹脂フレームの側面を覆うように矩形枠状の金属製のベゼルが取り付けられている。それにより、液晶パネルおよびバックライトは、樹脂フレームとベゼルとの間に挟持された状態で保持されている。ベゼルの中央部には、液晶パネルの表示領域を露出させる略矩形状の表示窓が開口している。
ベゼルは、それぞれ側面部の先端から延出した複数の曲げ部を有し、各折曲げ部にはねじを通す透孔が形成されている。各折曲げ部は、ベゼルをフレームに取り付けた状態で、フレームの裏面側に向けて略Ｌ字状に折り曲げられ、フレーム裏面と対向している。そして、各折曲げ部は透孔に挿通されたねじによりフレームの裏面にねじ止め固定されている。この結果、ベゼルがフレームに固定されている。
しかしながら、上記構成の平面表示装置では、折曲げ部の折り曲げ位置および折り曲げ角度を高い精度で一定にすることが容易でない。折曲げ部の折り曲げ位置および折り曲げ角度が不均一の場合、この折曲げ部をフレームにねじ止めすると、ベゼルの剛性により、ベゼルの表示窓周囲の部分が液晶表示パネル表面から浮き上がる方向の応力が発生する。そのため、ベゼルの表示窓周囲部分が液晶パネル表面から浮き上がり、液晶パネル表面とベゼルカバーとの間に隙間が生じる。この場合、この隙間から光が漏れて表示装置の表示品位が低下するおそれがある。
【発明の開示】
本発明は以上の点に鑑みなされたもので、その目的は、光漏れを防止し表示品位の向上した平面表示装置を提供することにある。
本発明の態様に係る平面表示装置は、画像が表示される表示領域を有した第１主面、および第１主面と対向した第２主面を備えた平面表示パネルと、前記平面表示パネルの前記第２主面側に配設され、前記平面表示パネルを保持したフレームと、前記フレームに固定された枠状のベゼルと、を備え、
前記ベゼルは、前記平面表示パネルの前記表示領域との境界に端辺を有し、前記表示領域を露出させて前記平面表示パネルの第１主面を覆った表面部と、前記フレームの側面の少なくとも一部を覆った側面部と、前記フレームの裏面の少なくとも一部に延在する裏面部と、前記ベゼルの前記裏面部に設けられ前記フレームに固定された固定部と、前記ベゼルにおける前記固定部から前記端辺に向かう最短経路近傍に位置し、前記表面部と前記平面表示パネルとを離間させる方向の応力を緩和する応力緩和部と、を有している。
【図面の簡単な説明】  図１は、この発明の第１の実施形態に係る液晶表示装置を示す斜視図である。
図２は、図１の線ＩＩ−ＩＩに沿った断面図である。
図３は、図１の線ＩＩＩ−ＩＩＩに沿った断面図である。
図４は、前記液晶表示装置の一部を示す斜視図である。
図５は、前記液晶表示装置の一部を示す横断面図である。
図６は、前記液晶表示装置の一部を示す斜視図である。
図７は、前記液晶表示装置の一部を示す横断面図である。
図８は、本発明の第２の実施形態に係る液晶表示装置の一部を示す斜視図である。
図９は、前記第２の実施形態に係る液晶表示装置の一部を示す断面図である。
図１０は、本発明の第３の実施形態に係る液晶表示装置の一部を示す斜視図である。
図１１は、前記第３の実施形態に係る液晶表示装置の一部を示す断面図である。
図１２は、本発明の第４の実施形態に係る液晶表示装置の一部を示す断面図である。
図１３は、本発明の第５の実施形態に係る液晶表示装置の一部を示す断面図である。
【発明を実施するための最良の形態】  以下、図面を参照しながら、この発明の第１の実施形態に係る液晶表示装置について詳細に説明する。
図１ないし図３に示すように、液晶表示装置１は、平面表示パネルとして機能する略矩形平板状の液晶パネル２を備えている。液晶パネル２は、透光性あるいは半透過型である。液晶パネル２は、複数の薄膜トランジスタ（以下、ＴＦＴと称する）、画素電極等が設けられた矩形状のアレイ基板５と、このアレイ基板と対向して配置された矩形状の対向基板４とを備えている。アレイ基板５および対向基板４は周縁部同士が貼り合わされ、所定のギャップを置いて対向している。アレイ基板５と対向基板４との間には、光変調層として機能する液晶層７が封入されている。アレイ基板５の外面および対向基板４の外面には、それぞれ光学シート６が貼付されている。
液晶パネル２の一方の表面、ここでは、対向基板４の外面は第１主面３ａを構成し、他方の表面、つまり、アレイ基板５の外面は第２主面３ｂを構成している。液晶パネル２の第１主面３ａは、その周縁部を除く中央部に、画像を表示する矩形状の表示領域８を有している。液晶パネル２は、図示しない液晶用フレキシブルプリント基板などの回路基板から供給される電気信号または電気エネルギなどの駆動信号によって所望の画像を表示領域８に表示する。
液晶パネル２の第２主面３ｂと対向してバックライト１１が配設されている。バックライト１１は、第２主面３ｂと対向して設けられた矩形板状の導光板１４、導光板の一側縁と対向して設けられ導光板内に線状の光を照射する細長い円筒形状の放電ランプ１２、および放電ランプの側部外周を覆って設けられた反射板１３を備えている。
導光板１４は、液晶パネル２の長手寸法よりも小さな長手寸法および液晶パネル２の幅寸法よりも小さな幅寸法を有している。導光板１４は、ポリカーボネイト、アクリル、あるいはシクロオレフィンポリマなどの耐熱透明樹脂にて成形されている。導光板１４の液晶パネル２と反対側の表面には、図示しない特殊なプリズムが形成されている。また、導光板１４と液晶パネル２との間には、図示しない略矩形状の光学シートが介在された状態で配設されている。
線状光源としての放電ランプ１２は、導光板１４の長辺に沿って設けられている。放電ランプ１２からの光は、直接あるいは反射板１３により反射されて導光板１４内に入射する。入射した線状の光は導光板１４のプリズムによって面状の光に変換され、液晶パネル２の全面に渡って照射される。その際、光学シートは、導光板１４からの面状の光分布を拡散させ、あるいは集光して液晶パネル２の第２主面側へ略均等に入射させる。液晶パネル２へ照射された面状の光は、液晶パネル２を透過して使用者の目に入り、この液晶パネル２の表面部３にて表示している画像が使用者に視認される。
モジュール化された液晶パネル２およびバックライト１１は、液晶パネル２の第２主面３ｂ側に設けられたフレーム１５上に保持されている。フレーム１５は、樹脂により有底の略矩形枠状に形成されしている。液晶パネル２はその周縁部がフレーム１５により支持されている。バックライト１１はフレーム１５の底壁上に支持されている。
より詳細に述べると、図２および図３に示すように、フレーム１５は、矩形枠状の本体１７と、本体の下端側に設けられたほぼ矩形板状の底壁１６と、を一体に有している。本体１７の上端側の内周縁に沿って段部２２が形成されている。バックライト１１の導光板１４は、フレーム１５の底壁１６上に載置された状態で本体１７の内側に嵌合されている。液晶パネル２は、その周縁部が段部２２に嵌合した状態でフレーム１５の本体１７によって支持され、導光板１４と対向している。
フレーム１５は、バックライト１１とともに面光源装置２４を構成している。また、フレーム１５の底面側において、本体の四隅の近傍には、ねじ孔２５がそれぞれ形成されている。
バックライト１１および液晶パネル２を保持したフレーム１５には、導電性の金属で形成されたベゼル３１が取り付けられている。ベゼル３１は、矩形枠状の表面部３２、表面部の外周縁からほぼ直角に延出した枠状の側面部３４、および側面部３４から延出し表面部３２とほぼ平行に対向した後述の底面部を一体に有している。ベゼル３１は、その表面部３２が液晶パネル２の第１主面３ａの周縁部を覆った状態で、かつ、側面部３４が液晶パネル２およびフレーム１５の側面を覆った状態で、フレーム１５に取り付けられている。
表面部３２の中央には矩形状の開口３０が形成されている。開口３０は、表面部３２の内周縁である端辺３３によって規定されている。開口３０は、液晶パネル２の幅寸法および長手寸法よりもそれぞれ小さな幅寸法および長手寸法を有している。開口３０は、バックライト１１の導光板１４の幅寸法および長手寸法とそれぞれ等しい幅寸法および長手寸法を有している。つまり、開口３０は液晶パネル２の表示領域８とほぼ等しい寸法に形成されている。
これにより、ベゼル３１の表面部３２は、開口３０を通して表示領域８を露出させた状態で、液晶パネル２の第１主面３ａの周縁部を覆っている。表面部３２の端辺３３は、表示領域８の外輪郭とほぼ一致し、表示領域８と表面部３２との境界に位置している。側面部３４の幅は、フレーム１５の本体１７の幅とほぼ等しく形成されている。そのため、側面部３４は、バックライト１１および液晶パネル２を支持したフレーム１５の側面を覆っている。
図１および図３ないし図７に示すように、ベゼル３１の各短辺において、側面部３４の長手方向両端部には、それぞれ折り曲げ部４２が一体に形成されている。各折り曲げ部４２は、側面部３４に形成された切欠きあるいはスリット４１ａおよび４１ｂによって規定されている。スリット４１ａは、側面部３４の幅方向中央部に形成され側面部の長手方向に沿っている。スリット４１ｂは、スリット４１ａの一端から側面部３４の下縁まで延び外側に開放している。
これにより、折り曲げ部４２は、側面部３４の長手方向に沿って延びた細長い矩形状の曲げ部本体４３を有し、この曲げ部本体の長手方向一端、つまり、スリット４１ｂと反対側に位置した一端は、側面部３４に連結されヒンジ４５を形成している。ヒンジ４５は側面部３４の幅方向に延び、曲げ部本体４３はヒンジ４５の回りで折り曲げ可能となっている。
また、折り曲げ部４２は、曲げ部本体４３の他端部の端縁からフレーム１５側に延出した裏面部４４を一体に備えている。裏面部４４は、表面部３２と平行に延びフレーム１５の裏面と対向している。裏面部４４のほぼ中央には、固定部として機能する透孔４６が形成されている。透孔４６はフレーム１５のねじ孔２５と整列して位置している。そして、裏面部４４は、透孔４６を通してフレーム１５のねじ孔２５にねじ込まれたねじ４７により、フレーム１５の本体１７にねじ止め固定されている。これにより、ベゼル３１はフレーム１５に固定されている。
図６に示すように、固定部としての透孔４６とベゼル３１の端辺３３までベゼル３１の外面に沿って延びた最短経路をＣとした場合、スリット４１ａは、最短経路Ｃの近傍に位置している。本実施形態において、スリット４１ａは最短経路Ｃを横切って延びている。そして、スリット４１ａは、ベゼル３１の表面部３２を液晶パネル２から離間させる方向の応力を緩和する応力緩和部として機能している。
なお、ベゼル３１の他の折り曲げ部４２も上記と同様に構成されている。
上記の構成の液晶表示装置１を組立てる場合、図４および図５に示すように、まず、液晶パネル２およびバックライト１１をフレーム１５に装着する。この状態で、フレーム１５の表面側にベゼル３１を取り付ける。この際、予め、ベゼル３１の各曲げ部本体４３をヒンジ４５の回りで外側に折り曲げ、裏面部４４をベゼルの側面部３４よりも外側へ位置させておく。これにより、裏面部４４がフレーム１５と干渉することなく、ベゼル３１をフレーム１５に対して所定位置に配置することができる。そして、ベゼル３１の表面部３２により液晶パネル２の第１主面周縁部を覆うとともに、側面部３４により液晶パネル２およびフレーム１５の側面を覆う。
続いて、図３、図６および図７に示すように、各曲げ部本体４３をフレーム１５側へ押し込み、ベゼル３１の側面部３４と略平行になるまで押し戻す。次いで、裏面部４４の透孔４６を通してフレーム１５のねじ孔２５にねじ４７をねじ込み、裏面部４４をフレーム本体１７の裏面に固定する。これにより、ベゼル３１をフレーム１５に固定する。
上記のように構成された液晶表示装置によれば、ベゼル３１の折り曲げ部４２は、固定部が形成された裏面部４４を一体に備え、ベゼルの側壁と交差する方向、つまり、表面部３２と平行な方向に沿って折り曲げ可能に形成されている。そして、曲げ部本体４３がベゼル３１の側面部３４と平行な状態に押し戻しされた状態で、裏面部４４がフレーム１５の裏面側に固定されている。この場合、曲げ部本体４３の剛性による復元力、すなわち反力は、ベゼル３１に対して、側面部３４と交差する方向、つまり、表面部３２の表面と平行な方向に作用し、表面部３２の表面と直交する方向には作用し難い。そのため、曲げ部本体４３の曲げ精度に関わらず、液晶表示装置１全体の外形精度を向上することできる。
同時に、裏面部４４には、ねじ止め方向、つまり、表面部３２の表面と直交する方向に反力が働かないため、表面部３２が液晶パネル２の第１主面３ａから浮き上がることを防止できる。また、ベゼル３１において、固定部として機能する裏面部４４の透孔４６と端辺３３とを結ぶ最短経路Ｃの近傍にスリット４１ａが形成されている。そのため、スリット４１ａは、ベゼル３１の表面部３２を液晶パネル２から離間させる方向の応力を緩和する。
従って、液晶パネル２とベゼル３１の表面部３２との間に隙間が形成されることを防止することでき、バックライト１１から光の漏れを抑制し表示品位を向上することができる。
更に、各折り曲げ部４２の曲げ部本体４３は、ベゼル３１の側面部３４から裏面部４４の突出寸法分だけ外側に折り曲げればよく、従来の折り曲げ部に比較して曲げ角度を小さくすることができる。そのため、曲げ部本体４３を容易に折り曲げできることができるとともに、ヒンジ４５に折り曲げを容易にするための孔などを設ける必要がない。従って、裏面部４４の強度向上を図ることができるとともに、液晶表示装置１の製造性を向上できる。裏面部４４は、曲げ部本体４３に対して直交する方向に延びているため、バックライト１１およびフレーム１５などの重量方向に対する強度を向上できる。
次に、本発明の第２の実施形態に係る液晶表示装置について説明する。図８および図９に示すように、第２の実施形態によれば、ベゼル３１は折り曲げ部を兼ねた裏面部４４を備えている。すなわち、ベゼル３１の各短辺において、側面部３４の長手方向両端部には、それぞれほぼ矩形状の裏面部４４が設けられている。各裏面部４４は側面部３４の側縁から延出し、側面部３４と直交する方向にほぼ９０度折り曲げられている。これにより、裏面部４４はフレーム１５の本体１７裏面と対向している。
各裏面部４４のほぼ中央には透孔４６が形成されている。そして、裏面部４４は、透孔４６を通してフレーム１５のねじ孔２５にねじ込まれたねじ４７によりフレーム１５にねじ止め固定されている。
固定部として機能する透孔４６とベゼル３１の端辺３３までベゼル３１の外面に沿って延びた最短経路をＣとした場合、ベゼル３１には最短経路Ｃの近傍に位置したスリット４１が形成されている。本実施形態において、スリット４１は側面部３４に形成され、側面部の長手方向に沿って延びているとともに、最短経路Ｃを横切って延びている。このスリット４１は、ベゼル３１の表面部３２を液晶パネル２から離間させる方向の応力を緩和する応力緩和部として機能している。
第２の実施形態において、他の構成は前述した第１の実施形態と同一であり、同一の部分には同一の参照符号を付してその詳細な説明を省略する。
第２の実施形態においても、スリット４１により、ベゼル３１の表面部３２を液晶パネル２から離間させる方向の応力を緩和することができる。従って、液晶パネル２とベゼル３１の表面部３２との間に隙間が形成されることを防止することでき、光の漏れを抑制し表示品位の向上した液晶表示装置が得られる。
次に、本発明の第３の実施形態に係る液晶表示装置について説明する。図１０および図１１に示すように、第３の実施形態によれば、固定部を有した裏面部４４は、別部材により構成され、ベゼル３１に固定されている。
すなわち、ベゼル３１の各短辺において、側面部３４の長手方向両端部には、それぞれ金属からなる板部材６０が固定されている。板部材６０は、矩形状の支持部６２および支持部から延出した矩形状の延出部６４を一体に備えている。支持部６２は、側面部３４の外面と対向して配置され、側面部３４の長手方向に沿って延びている。そして、支持部６２の長手方向両端部は、例えば、溶接により側面部３４に固定されている。
延出部６４は、支持部６２から側面部３４の側縁を越えて延出している。延出部６４の延出端部はフレーム１５側へほぼ直角に折曲げられ、フレーム１５の本体１７裏面と対向した裏面部４４を構成している。各裏面部４４のほぼ中央には透孔４６が形成されている。そして、裏面部４４は、透孔４６を通してフレーム１５のねじ孔２５にねじ込まれたねじ４７によりフレーム１５にねじ止め固定されている。
固定部として機能する透孔４６とベゼル３１の端辺３３までベゼル３１の外面に沿って延びた最短経路をＣとした場合、板部材６０の支持部６２は最短経路Ｃを横切って延びているとともに、最短経路Ｃの両側で側面部３４に固定されている。そして、支持部６２は、両端部のみが固定され、他の部分は側面部３４に固定されていない。そのため、支持部６２の中央部は側面部３４に対して相対的に弾性変形可能であるとともに、最短経路Ｃ上に位置している。この支持部６２は、ベゼル３１の表面部３２を液晶パネル２から離間させる方向の応力を緩和する応力緩和部として機能している。
第３の実施形態において、他の構成は前述した第１の実施形態と同一であり、同一の部分には同一の参照符号を付してその詳細な説明を省略する。
第３の実施形態においても、最短経路Ｃの近傍でベゼル３１に取り付けられた板部材６０が弾性変形することにより、ベゼル３１の表面部３２を液晶パネル２から離間させる方向の応力を緩和することができる。従って、液晶パネル２とベゼル３１の表面部３２との間に隙間が形成されることを防止することでき、光の漏れを抑制し表示品位の向上した液晶表示装置が得られる。
次に、本発明の第４の実施形態に係る液晶表示装置について説明する。図１２に示すように、第４の実施形態によれば、フレーム１５の裏面側には、略矩形状の回路基板５１が配設されている。回路基板５１は、液晶パネル２と電気的に接続され、電気信号または電気エネルギなどの駆動信号を液晶パネル２に供給する。回路基板５１は、フレーム１５の裏面側と略等しい矩形状に形成されている。回路基板５１の四隅の近傍には、フレーム１５のねじ孔２５と対応する位置に、透孔５２が貫通して設けられ、ねじ孔２５と整列している。
ベゼル３１の各裏面部４４は、回路基板５１の裏面と対向して設けられ、回路基板５１を挟んでフレーム１５の反対側に位置している。すなわち、裏面部４４が最も裏側に位置している。裏面部４４に形成された透孔４６は、回路基板５１の透孔５５およびフレーム１５のねじ孔２５と整列して位置している。
組み立ての際、液晶パネル２およびバックライト１１をフレーム１５に装着した後、フレーム１５の表面側にベゼル３１を取り付ける。また、フレーム１５の裏面側に回路基板５１を配置する。続いて、ベゼル３１の曲げ部本体４３を、ベゼル３１の側面部３４とほぼ平行となる位置まで、表面部３２の面方向に沿って押し込む。この状態で、裏面部４４の透孔４６および回路基板５１の透孔５５を通して、ねじ４７をフレーム１５のねじ孔２５にねじ込む。
この結果、ベゼル３１、フレーム１５および回路基板５１が互いに固定されるとともに、ベゼル３１と回路基板５１とが、ねじ４７を介して互いに電気的に接続される。
第４の実施形態において、他の構成は前述した第１の実施形態と同一であり、同一の部分には同一の参照符号を付してその詳細な説明を省略する。
上記構成の第４の実施形態によれば、第１の実施形態と同様の作用効果を得ることができる。また、ねじ４７によりベゼル３１の裏面部４４とフレーム１５とを固定した際、このねじ４７を介してベゼル３１と回路基板５１とが電気的に接続される。そのため、例えば回路基板５１を外部の回路などと電気的に接続する場合などには、ベゼル３１の任意の位置から配線でき、省スペース化、あるいは配線の容易化をはかることができ、その結果、液晶表示装置の製造性を一層向上することができる。
次に、本発明の第５の実施形態に係る液晶表示装置について説明する。図１３に示すように、第５の実施形態によればフレーム１５には、面光源装置２４の代わりに、光源としての放電ランプ５３が取り付けられている。放電ランプ５３は細長い棒状に形成され、フレーム１５の底部の幅寸法よりも若干大きい長手方向寸法を有している。放電ランプ５３は、フレーム１５に支持され、液晶パネル２の第２主面３ｂに対向して配置されている。放電ランプ５３からは、液晶パネル２と直交する方向に光が照射される。
フレーム１５の底壁１６は、導電性の金属部材として機能する金属板５４によって構成されている。金属板５４は、放電ランプ５３に対向し、フレーム１５の裏面側を閉塞するように設けられている。金属板５４は、放電ランプ５３から下方に照射された光を液晶パネル２へと反射させる。
ベゼル３１の各裏面部４４は、金属板５４の放電ランプ５３と反対側、すなわち金属板の裏面に対向して配置されている。金属板５４の四隅の近傍には、フレーム１５のねじ孔２５と対応する透孔４６が形成され、ねじ孔２５と整列している。
組み立ての際、液晶パネル２および放電ランプ５３をフレーム１５に装着した後、フレーム１５の表面側にベゼル３１を取り付ける。また、フレーム１５の裏面側に金属板５４を配置する。続いて、ベゼル３１の曲げ部本体４３を、ベゼル３１の側面部３４とほぼ平行となる位置まで、表面部３２の面方向に沿って押し込む。この状態で、裏面部４４の透孔４６および金属板５４の透孔５５を通して、ねじ４７をフレーム１５のねじ孔２５にねじ込む。
この結果、ベゼル３１、フレーム１５および金属板５４が互いに固定されるとともに、ベゼル３１と金属板５４とが、ねじ４７を介して互いに電気的に接続される。
第５の実施形態において、他の構成は前述した第１の実施形態と同一であり、同一の部分には同一の参照符号を付してその詳細な説明を省略する。
上記構成の第５の実施形態によれば、第１の実施形態と同様の作用効果を得ることができる。また、ねじ４７によりベゼル３１の裏面部４４とフレーム１５とを固定した際、このねじ４７を介してベゼル３１と金属板５４とが電気的に接続される。そのため、ベゼル３１の任意の位置を用いて金属板５４に電気的に接続する配線が可能になる。従って、省スペース化、あるいは配線の容易化をはかることができ、その結果、液晶表示装置の製造性を一層向上することができる。
なお、この発明は上述した実施形態に限定されることなく、この発明の範囲内で種々変形可能である。例えば、上述した各実施形態では、液晶パネル２により映像を表示する液晶表示装置について説明したが、この発明は、液晶パネル２以外の平面表示パネルを用いた平面表示装置、例えばエレクトロルミネッセンス（ＥＬ）素子を用いたＥＬ表示装置等にも適用することができる。
バックライト１１の光を液晶パネル２の裏面側から透過させる透過型あるいは半透過型の液晶表示装置について説明したが、各実施形態において、面光源装置として、導光板１４の上面にプリズムを設けたフロントライトを用いてもよい。この場合、フロントライトを液晶パネル２の第１主面側に配置し、フロントライトにより液晶パネル２の表面に光を反射させる反射型の液晶表示装置としてもよい。このような構成においても、前述した各実施形態と同様の作用効果を奏することができる。
【産業上の利用可能性】  本発明によれば、平面表示パネルとベゼルカバーとの間に隙間が形成されることを抑制することにより、光漏れを防止し表示品位の向上した平面表示装置を提供することができる。
【図１】
2004111977.tif 000003
【図２】
2004111977.tif 000004
【図３】
2004111977.tif 000005
【図４】
2004111977.tif 000006
【図５】
2004111977.tif 000007
【図６】
2004111977.tif 000008
【図７】
2004111977.tif 000009
【図８】
2004111977.tif 000010
【図９】
2004111977.tif 000011
【図１０】
2004111977.tif 000012
【図１１】
2004111977.tif 000013
【図１２】
2004111977.tif 000014
【図１３】
2004111977.tif 000015
【国際調査報告】
2004111977.tif 000016
2004111977.tif 000017
2004111977.tif 000018
2004111977.tif 000019